(57)【特許請求の範囲】
【請求項１】
室内外を連通する開口に設けられている既設サッシの既設枠に設けられる改装サッシであって、
前記既設枠の前記開口の中央側に臨む部位を覆う見込み部と、
前記既設枠の室外側に臨む部位を覆う見付け部と、
を備えた改装枠を有し、
前記改装枠は、前記既設枠に囲まれた空間に前記見込み部が挿入されて、前記既設枠に設けられ前記開口の中央側に突出した複数の突出部のうち最も室外側に設けられ前記既設サッシにおいて既設網戸が係合するための係合部位と係合し弾性変形可能な係合部を有し、
前記改装枠が前記既設枠に囲まれた空間に前記見込み部が挿入されたときに、前記係合部は前記係合部位と係合して押圧されることにより弾性変形して前記係合部位より前記開口の中央側に位置する状態となり、更に挿入されることにより係合が解除されるとともに押圧力が解除されて前記係合部が元の形状に復元することにより、前記改装枠が前記既設枠に仮保持されることを特徴とする改装サッシ。
【請求項２】
請求項１に記載の改装サッシであって、
前記見付け部は、前記既設枠の室外側にて当該既設枠の外周縁より外側に突出して、前記室内外の境界となる壁面と対向する壁面対向部を有し、
前記壁面対向部と前記壁面との間に防水目地が設けられていることを特徴とする改装サッシ。
【請求項３】
請求項１または請求項２に記載の改装サッシであって、
前記見付け部は、固定具により前記既設枠に固定されており、
当該見付け部には、前記固定具を覆う覆い部材が取り付けられていることを特徴とする改装サッシ。
【請求項４】
請求項１乃至請求項３のいずれかに記載の改装サッシであって、
前記係合部は、前記既設枠に囲まれた空間に前記見込み部が挿入される際に、当該係合部が前記係合部位より前記開口の中央側に位置し、
前記係合部が前記係合部位を越えて、当該係合部の先端が前記係合部位の先端より外周側に位置することを特徴とする改装サッシ。
【請求項５】
請求項１乃至請求項４のいずれかに記載の改装サッシであって、
前記係合部は、前記改装枠に取り付けられた部材であることを特徴とする改装サッシ。
【請求項６】
室内外を連通する開口に設けられている既設サッシの既設枠に設けられる改装サッシの施工方法であって、
前記既設枠は、前記開口の中央側に突出した複数の突出部のうち最も室外側に設けられ既設網戸が係合するための係合部位を有しており、
前記改装サッシの改装枠は、前記既設枠の前記開口の中央側に臨む部位を覆う見込み部と、前記既設枠の室外側に臨む部位を覆う見付け部と、前記既設枠に囲まれた空間に前記見込み部が挿入されて前記係合部位と係合し弾性変形可能な係合部を有しており、
前記見込み部を、前記既設枠に囲まれた空間に挿入して、前記係合部が前記係合部位と係合して押圧されることにより弾性変形して、前記係合部位より前記開口の中央側に位置する状態となり、更に挿入することにより係合が解除されるとともに押圧力が解除され、元の形状に復元されることにより、前記改装枠が前記既設枠に仮保持される仮保持工程と、
前記見付け部を前記既設枠に固定する固定工程とを有することを特徴とする改装サッシの施工方法。
【発明の詳細な説明】
【技術分野】
【０００１】
本発明は、既設サッシの既設枠に設けられる改装サッシ及び改装サッシの施工方法に関する。
【背景技術】
【０００２】
改装サッシとしては、建物の開口部に設けられた既設サッシの既設枠の内周側に取り付けられるリフォームサッシが知られている（例えば、特許文献１参照）。  
このようなリフォームサッシは、既設枠が有する上枠、下枠、左右の縦枠にベース材を取り付けることにより新設するリフォームサッシが固定される取付壁を形成し、リフォームサッシが有する、枠組みされた枠体を取付壁にビスにて固定している。
【先行技術文献】
【特許文献】
【０００３】
【特許文献１】特開２００８−２２３２８６号公報
【発明の概要】
【発明が解決しようとする課題】
【０００４】
上記のようなリフォームサッシは、既設サッシに設けられたベース材の内側にリフォームサッシの枠体が挿入され、枠体の外周側に突出されている釘打ちフィンが取付壁に当接されたのち、枠体が挿入された状態を維持しつつビスにて固定しなければならない。すなわち、作業者は枠体を支えつつビスを締めなければならないため施工性が悪いという課題があった。
【０００５】
本発明は、かかる課題に鑑みてなされたものであり、その目的とするところは、施工性に優れた改装サッシ及び改装サッシの施工方法を提供することにある。
【課題を解決するための手段】
【０００６】
かかる目的を達成するために本発明の改装サッシは、室内外を連通する開口に設けられている既設サッシの既設枠に設けられる改装サッシであって、前記既設枠の前記開口の中央側に臨む部位を覆う見込み部と、前記既設枠の室外側に臨む部位を覆う見付け部と、を備えた改装枠を有し、前記改装枠は、前記既設枠に囲まれた空間に前記見込み部が挿入されて、前記既設枠に設けられ前記開口の中央側に突出した複数の突出部のうち最も室外側に設けられ前記既設サッシにおいて既設網戸が係合するための係合部位と係合し弾性変形可能な係合部を有し、前記改装枠が前記既設枠に囲まれた空間に前記見込み部が挿入されたときに、前記係合部は前記係合部位と係合して押圧されることにより弾性変形して前記係合部位より前記開口の中央側に位置する状態となり、更に挿入されることにより係合が解除されるとともに押圧力が解除されて前記係合部が元の形状に復元することにより、前記改装枠が前記既設枠に仮保持されることを特徴とする改装サッシである。
このような改装サッシによれば、改装枠の見込み部が、既設枠に囲まれた空間に挿入されて既設枠と係合する係合部を有しているので、見込み部を挿入することにより改装枠を既設枠に仮保持させることが可能である。このため、既設枠に囲まれた空間に見込み部を挿入するだけで、改装枠が既設枠に仮保持された状態を保つことが可能であり、作業者は改装枠から手を離すことが可能である。よって、作業者は、改装枠の見込み部を挿入して改装枠から手を離し、両手を使って改装枠を既設枠側に取り付けることが可能である。このため、施工性の良い改装サッシを提供することが可能である。
【０００７】
また、係合部が係合する係合部位は、開口の中央側に突出した既設枠の突出部なので、既設枠に囲まれた空間、すなわち既設枠の内側に挿入された改装枠の係合部を容易に係合させることが可能である。
【０００８】
また、係合部が係合する突出部は、既設枠の最も室外側に設けられた突出部なので、改装枠に設けられた係合部も室外側に配置することが可能である。このため、改装枠が既設枠に挿入される際に、係合部が既設枠の他の突出部と接触することはない。このため、改装枠が挿入しやすい、施工性に優れた改装サッシを提供することが可能である。
【０００９】
また、既設網戸が係合するための部位は既設枠が有する既設障子を案内するためのレール等より室外側に設けられているので、係合部が係合する突出部を新たに設ける必要はなく、既存の突出部にて改装枠を既設枠の室外側にて仮保持させることが可能である。
【００１０】
かかる改装サッシであって、前記見付け部は、前記既設枠の室外側にて当該既設枠の外周縁より外側に突出して、前記室内外の境界となる壁面と対向する壁面対向部を有し、前記壁面対向部と前記壁面との間に防水目地が設けられていることが望ましい。  
このような改装サッシによれば、見付け部の、既設枠の外周縁より外側に突出して壁面と対向する壁面対向部と壁面との間に防水目地が設けられているので、改装サッシと壁面との間の高い止水性を確保することが可能である。また、防水目地は既設枠より外周側に突出した壁面対向部と壁面との間に設けられているので、室外側から見た際には視界に入りにくい。このため、美観に優れた改装サッシを提供することが可能である。
【００１１】
かかる改装サッシであって、前記見付け部は、固定具により前記既設枠に固定されており、当該見付け部には、前記固定具を覆う覆い部材が取り付けられていることが望ましい。  
このような改装サッシによれば、改装枠を既設枠に固定する固定具は、見付け部に取り付けられた覆い部材にて覆われるため、より美観に優れた改装サッシを提供することが可能である。
【００１２】
かかる改装サッシであって、前記係合部は、前記既設枠に囲まれた空間に前記見込み部が挿入される際に、当該係合部が前記係合部位より前記開口の中央側に位置し、前記係合部が前記係合部位を越えて、当該係合部の先端が前記係合部位の先端より外周側に位置することが望ましい。  
このような改装サッシによれば、既設枠に囲まれた空間に改装枠が挿入される際に、係合部が係合部位より開口の中央側に位置し、係合部が係合部位を越えると当該係合部の先端が係合部位の先端より外周側に位置するので、改装枠を既設枠に囲まれた空間に挿入するだけで、係合部の先端が係合部位より、挿入方向の先方側で係合部位の先端より開口の中央側に位置する状態となる。このため、係合部が係合部位を越えた後は改装枠が挿入方向と逆の方向に移動しないので、改装枠を容易に、且つ確実に既設枠に仮保持させることが可能である。
【００１３】
かかる改装サッシであって、前記係合部は、前記改装枠に取り付けられた部材であることが望ましい。  
このような改装サッシによれば、既設枠に係合する係合部は、改装枠に取り付けられる部材なので、改装枠を改装専用に備える必要はない。このため、例えば、建物の躯体等に直接施工される新設サッシを改装サッシとして用いることが可能である。また、係合部の位置を移動できるので、既設枠に合わせて適宜位置調整して改装枠に備えることが可能である。
【００１４】
また、室内外を連通する開口に設けられている既設サッシの既設枠に設けられる改装サッシの施工方法であって、前記既設枠は、前記開口の中央側に突出した複数の突出部のうち最も室外側に設けられ既設網戸が係合するための係合部位を有しており、前記改装サッシの改装枠は、前記既設枠の前記開口の中央側に臨む部位を覆う見込み部と、前記既設枠の室外側に臨む部位を覆う見付け部と、前記既設枠に囲まれた空間に前記見込み部が挿入されて前記係合部位と係合し弾性変形可能な係合部を有しており、前記見込み部を、前記既設枠に囲まれた空間に挿入して、前記係合部が前記係合部位と係合して押圧されることにより弾性変形して、前記係合部位より前記開口の中央側に位置する状態となり、更に挿入することにより係合が解除されるとともに押圧力が解除され、元の形状に復元されることにより、前記改装枠が前記既設枠に仮保持される仮保持工程と、前記見付け部を前記既設枠に固定する固定工程とを有することを特徴とする改装サッシの施工方法である。
【００１５】
このような改装サッシの施工方法によれば、改装枠の見込み部が、既設枠に囲まれた空間に挿入されると既設枠と係合して既設枠に改装枠が仮保持されるので、作業者は改装枠から手を離すことが可能である。このため、作業者は、改装枠の見込み部を挿入して改装枠から手を離し、両手を使って改装枠を既設枠側に取り付けることが可能である。
【発明の効果】
【００１６】
本発明によれば、施工性に優れた改装サッシ及び改装サッシの施工方法を提供することが可能である。
【図面の簡単な説明】
【００１７】
【図１】本実施形態に係る改装サッシを説明するための水平断面図である。
【図２】本実施形態に係る改装サッシを説明するための縦断面図である。
【図３】本実施形態に係る改装サッシの施工方法を説明するための図である。
【発明を実施するための形態】
【００１８】
以下、本発明の一実施形態に係る改装サッシ及び改装サッシの施工方法について図面を参照して説明する。
【００１９】
本実施形態の改装サッシ１０は、例えば、図１、図２に示すように、建物の室内外を連通する開口に設けられている既設サッシの既設枠５０に取り付けられている。本実施形態では、屋内外を連通する開口に既設枠５０が設けられている。
【００２０】
以下の説明においては、建物等に取り付けられた状態の既設枠５０及び改装サッシ１０を屋内側から見たときに、上下となる方向を上下方向、左右となる方向を左右方向または見付け方向、屋内外方向である奥行き方向を見込み方向として示す。また、本実施形態においては、建物に既に設けられている既存の既設枠５０と、既設枠５０を覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装枠体、改装障子等として説明する。
【００２１】
既設サッシの既設枠５０は、引き違い障子用の枠体であり、既設サッシの既設障子が案内される２本の既設レール５１ａ、５２ａを有する既設上枠５１及び既設下枠５２と、既設障子（不図示）の既設戸先框（不図示）と係合する既設係合片５３ａを有する左右の既設縦枠５３が矩形状に枠組みされて開口に設けられている。尚、既設上枠５１、既設下枠５２、及び、左右の既設縦枠５３はアルミニウム製の押出成形部材であり、左右の既設縦枠５３は互いに左右対称の形状をなしている。
【００２２】
既設縦枠５３は、見込み方向に沿う平面でなる既設縦枠本体部５３ｂと、既設縦枠本体部５３ｂの室内側に設けられる額縁６０において、開口の中央側に臨む面６０ａと対向して重ねられる既設額縁対向部５３ｃと、既設縦枠本体部５３ｂから開口の中央側に突出され既設障子の既設戸先框が係合される既設係合片５３ａと、既設枠５０の最も室外側に配置され既設縦枠本体部５３ｂから開口の中央側に突出され既設網戸の既設縦框に挿入される既設挿入片５３ｄと、既設枠５０の最も室外側に配置され既設挿入片５３ｄと見付け方向において反対側に突出された縁部５３ｅと、を有している。ここで、既設挿入片５３ｄは既設枠５０の既設網戸が係合するための係合部位である。また、既設係合片５３ａと既設挿入片５３ｄは開口の中央側に突出する突出部に相当し、既設挿入片５３ｄは、最も室外側に設けられた突出部に相当する。
【００２３】
既設縦枠５３の最も室外側に配置された既設挿入片５３ｄと縁部５３ｅとは、室外側に臨む外向平面５３ｆを形成しており、外向平面５３ｆは、室内外に境界となる建物の外壁１の壁面より室外側に突出させた位置に配置されている。
【００２４】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される２本の改装レール２１ａ、２２ａを有する改装上枠２１及び改装下枠２２と、改装障子１２の改装戸先框１２ａと係合する改装係合片２３ａを有する左右の改装縦枠２３が矩形状に枠組みされている。枠組みされた改装枠２０は、既設枠５０に囲まれた空間内に挿入され既設枠５０の開口の中央側に臨む部位を覆う見込み部２０ａと、既設枠５０及び外壁１より室外側に配置され既設枠５０の室外側に臨む部位を覆う見付け部２０ｂとを有している。尚、改装上枠２１、改装下枠２２、及び、左右の改装縦枠２３はアルミニウム製の押出成形部材であり、左右の改装縦枠２３は互いに左右対称の形状をなしている。
【００２５】
改装縦枠２３は、見込み方向に沿う平面でなる見込み部の一部である改装縦枠本体部２３ｂと、新設される際に改装縦枠本体部２３ｂの室内側に設けられる額縁（不図示)において、開口の中央側に臨む面と対向して重ねられる改装額縁対向部２３ｃと、改装縦枠本体部２３ｂから開口の中央側に突出され改装障子１２の改装戸先框１２ａが係合される改装係合片２３ａと、改装枠２０の最も室外側に配置され改装縦枠本体部２３ｂから開口の中央側に突出され改装網戸１４の改装縦框１４ａに挿入される改装挿入片２３ｄと、改装挿入片２３ｄと見付け方向において反対側に突出され既設枠５０の外周縁より外側に突出する縦枠見付け部２３ｅと、を有し、既設枠５０と係合する複数の係合部としての係合部材２５が設けられている。
【００２６】
縦枠見付け部２３ｅは、改装縦枠本体部２３ｂから改装枠２０の外周方向、すなわち改装枠２０にて囲まれた空間と反対側に、改装縦枠本体部２３ｂとほぼ直角をなすように形成された見付け部本体２３ｆと、見付け部本体２３ｆの外周側の縁部が室外側に突出された突出壁部２３ｇと、突出壁部２３ｇの室外側の縁部が開口の中央側に延出された延出部２３ｈとを有している。
【００２７】
見付け部本体２３ｆは、突出壁部２３ｇ側の部位が外壁１と対向する壁面対向部２３ｋをなし、延出部２３ｈは、見付け方向において、見付け部本体２３ｆが外壁１と対向する部位における突出壁部２３ｇ側の部分と対向するように形成されている。
【００２８】
改装縦枠本体部２３ｂの室外側の部位には、改装挿入片２３ｄより室外側に改装枠２０の外周方向に延出させた外側延出片２３ｉが設けられている。外側延出片２３ｉは、縦枠見付け部２３ｅの延出部２３ｈと互いに対向する方向に延出されており、縦枠見付け部２３ｅ及び改装縦枠本体部２３ｂの室外側の部位とともに、室外側に向かって開放され室内側に窪む凹部２３ｊを縦枠見付け部２３ｅの室外側に形成している。
【００２９】
凹部２３ｊには、延出部２３ｈ及び外側延出片２３ｉに係止され凹部２３ｊ、延出部２３ｈ及び外側延出片２３ｉを室外側から覆う覆い部材としての室外側カバー部材２７が室外側から嵌め込まれている。
【００３０】
係合部材２５は、弾性変形可能な、例えばステンレス製の板バネであり、改装枠２０に取り付けられる平坦な取付部２５ａと、既設枠５０と接触して弾性変形する変形部２５ｂとが、鋭角をなすように折り曲げられて形成されている。係合部材２５は、取付部２５ａと変形部２５ｂとが繋がった部位が室内側に向くように改装縦枠本体部２３ｂの外周側の面に両面テープにて固定されている。
【００３１】
そして、改装縦枠本体部２３ｂに取り付けられた係合部材２５を上方から見た際には、図１に示すように、室内側から室外側に向かって変形部２５ｂが改装縦枠本体部２３ｂとの間隔が広がるように、改装縦枠本体部２３ｂの縦枠見付け部２３ｅ側に取り付けられている。この係合部材２５は、上下方向の長さが３０〜４０ｍｍであり、左右の改装縦枠２３の長手方向、すなわち上下方向に互いに３００〜４００ｍｍの間隔を隔てて複数取り付けられている。
【００３２】
そして、改装サッシ１０が既設枠５０に取り付けられた状態では、係合部材２５の変形部２５ｂにおける取付部２５ａと繋がってない側の先端２５ｃが、既設縦枠５３の既設挿入片５３ｄよりも室内側に位置するとともに、既設挿入片５３ｄの縁部より既設縦枠５３の既設縦枠本体部５３ｂ側に位置している。このとき、係合部材２５の変形部２５ｂにおける取付部２５ａと繋がってない側の先端２５ｃは、見付け部本体２３ｆとの間に、既設挿入片５３ｄの厚みより十分に広い間隔が設けられている。
【００３３】
上記改装サッシ１０の施工方法は、まず、改装上枠２１、改装下枠２２、及び、左右の改装縦枠２３を矩形状に枠組みし、左右の改装縦枠２３に係合部材２５を取り付けて改装枠２０を形成する。
【００３４】
次に、既設枠５０より外周側であって、改装枠２０の見付け部本体２３ｆと対向する外壁１の表面に、外壁より室外側に突出された外向平面５３ｆと突出量がほぼ同じになるように下地木材５８を取り付ける。このとき、縦枠見付け部２３ｅの突出壁部２３ｇ側には外壁１との間に空間ができるように下地木材５８を配置する。
【００３５】
次に、既設下枠５２に、改装枠２０を載置可能な平坦な載置部６２ａを有する支持部材６２を固定する。
【００３６】
次に、支持部材６２上に改装枠２０を載置しつつ、室外側から改装枠２０の見付け部２０ａを既設枠５０に囲まれた空間内に挿入する。このとき、図３に示すように、改装枠２０の縦枠見付け部２３ｅが既設枠５０の外向平面５３ｆに当接される前に、改装枠２０が有する係合部材２５の変形部２５ｂが既設枠５０の既設挿入片５３ｄと接触する。
【００３７】
その後、改装枠２０を継続して挿入していくと、係合部材２５の変形部２５ｂが既設挿入片５３ｄに押圧されて改装縦枠本体部２３ｂ側に弾性変形し、係合部材２５は改装縦枠本体部２３ｂと既設挿入片５３ｄとの間に挟まれた状態、すなわち、係合部材２５は、既設枠５０に囲まれた空間に挿入される際に、係合部材２５が係合する突出部としての既設挿入片５３ｄより開口の中央側に位置する状態となる。
【００３８】
そして更に改装サッシ１０を挿入していくと、係合部材２５の変形部２５ｂが既設挿入片５３ｄより室内側に移動したときに、変形部２５ｂと既設挿入片５３ｄとの係合が解除され、既設挿入片５３ｄの押圧力が解除されて、係合部材２５が元の形状に復元する。そして、見付け部本体２３ｆの室内側の面が既設枠５０の外向平面５３ｆに当接される（仮保持工程）。すなわち、係合部材２５が既設挿入片５３ｄを越えて、当該係合部材２５の先端２５ｃが既設挿入片５３ｄの先端５３ｇより外周側に位置する状態となる。変形部２５ｂが復元することにより、左側の改装縦枠２３に設けられた係合部材２５の先端２５ｃと右側の改装縦枠２３に設けられた係合部材２５の先端２５ｃとの見付け方向における距離は、既設枠５０の左側の既設縦枠５３の既設挿入片５３ｄの先端５３ｇと右側の既設挿入片５３ｄの先端５３ｇとの間隔より広くなる。そして、左側の改装縦枠２３に設けられた係合部材２５が既設枠５０の左側の既設縦枠５３の既設挿入片５３ｄと係合し、右側の改装縦枠２３に設けられた係合部材２５が右側の既設挿入片５３ｄと係合し、改装枠２０が既設枠５０に仮保持された状態となる。この状態では作業者は、改装枠２０から両手を離すことが可能となる。
【００３９】
その後、改装枠２０の室外側に設けられた凹部２３ｊに固定具としてのビス６４を挿入し、改装枠２０の見付け部本体２３ｆと既設枠５０の既設挿入片５３ｄとを固定するとともに、下地木材５８と外壁１とを貫通させて躯体３に固定する（固定工程）。そして、ビス６４の露出を避けるために、改装枠２０の見付け部２０ｂの室外側に室外側カバー部材２７を取り付ける。改装枠２０をビス６４にて固定した状態では、改装枠２０の外周側の部位と外壁１との間に空隙が全周に亘って形成されている。この空隙にはシーリング材６６を充填して防水目地７０を形成する。また、室内側における改装枠２０と額縁６０との間に室内側カバー部材２８を固定する。
【００４０】
上記実施形態の改装サッシ１０によれば、既設枠５０に囲まれた空間に見込み部２０ａが挿入されて既設枠５０と係合し、当該既設枠５０に仮保持される係合部材２５を有しているので、見込み部２０ａを挿入することにより改装サッシ１０を既設枠５０に仮保持させることが可能である。このため、改装枠２０は既設枠５０に囲まれた空間に見込み部２０ａを挿入するだけで、既設枠５０に仮保持された状態が保たれるので作業者は改装枠２０から手を離すことが可能である。よって、作業者は、改装枠２０の見込み部２０ａを挿入して改装枠２０から手を離し、両手を使って改装枠２０を既設枠５０側に取り付けることが可能である。このため、施工性の良い改装サッシ１０を提供することが可能である。
【００４１】
また、係合部材２５が係合する部位は、開口の中央側に突出した既設枠５０の既設挿入片５３ｄなので、既設枠５０に囲まれた空間、すなわち既設枠５０の内側に挿入される改装枠２０の係合部材２５を容易に係合させることが可能である。
【００４２】
また、係合部材２５が係合する既設挿入片５３ｄは、既設枠５０の最も室外側に設けられた部位なので、改装サッシ１０に設けられる係合部材２５も室外側に配置することが可能である。このため、改装サッシ１０が既設枠５０に挿入される際に、係合部材２５が既設枠５０の他の突出部、例えば、既設係合片５３ａと接触することはない。このため、改装枠２０が挿入しやすく施工性に優れた改装サッシ１０を提供することが可能である。更に、既設枠５０の最も室外側に設けられた突出部は既設挿入片５３ｄであり、既設挿入片５３ｄは既設枠５０が有する既設障子を案内するための既設レールより室外側に設けられているので、係合部材２５が室外側にて係合する突出部を新たに設けることなく、改装枠２０を仮保持させることが可能である。
【００４３】
また、見付け部２０ｂの、既設枠５０より外周側に突出して外壁１と対向する壁面対向部２３ｋと壁面との間に防水目地７０が設けられているので、改装サッシ１０と外壁１との高い止水性を確保することが可能である。また、防水目地７０は既設枠５０より外周側に突出した壁面対向部２３ｋと外壁１との間に設けられているので、室外側から見た際には視界に入りにくい。このため、美観に優れた改装サッシ１０を提供することが可能である。
【００４４】
また、改装枠２０を既設枠５０に固定するビス６４は室外側カバー部材２７にて覆われるため、より美観に優れた改装サッシ１０を提供することが可能である。
【００４５】
また、既設枠５０に囲まれた空間に改装枠２０が挿入される際に、係合部材２５の変形部２５ｂが既設挿入片５３ｄより開口の中央側に位置し、係合部材２５の変形部２５ｂが既設挿入片５３ｄを越えて、係合部材２５の変形部２５ｂの先端２５ｃが既設挿入片５３ｄの先端５３ｇより外周側に位置するので、改装枠２０を既設枠５０に囲まれた空間に挿入するだけで、変形部２５ｂの先端２５ｃが既設挿入片５３ｄより、挿入方向の先方側で既設挿入片５３ｄの先端５３ｇより開口の中央側に位置する状態となる。このため、係合部材２５の変形部２５ｂが既設挿入片５３ｄを越えた後は改装枠２０が挿入方向と逆の方向に移動しないので、改装枠２０を容易に、且つ確実に既設枠５０に仮保持させることが可能である。
【００４６】
本実施形態では、既設枠５０と係合する部位を、ピース状の係合部材２５とし、改装縦枠本体部２３ｂに取り付けたので、改装枠２０を改装専用に備える必要はない。このため、例えば、建物の躯体等に直接施工可能な一般的な新設サッシを用いることが可能である。また、係合部材２５が、改装縦枠本体部２３ｂから分離可能なピースなので、既設枠５０と係合する位置を、係合部材２５を移動させることにより変更することが可能である。このため、既設枠５０に設けられている突出部の位置に合わせて適宜調整して係合部材２５を改装枠２０に備えることが可能である。
【００４７】
本実施形態においては、改装枠２０が有する係合部を、ピース状の係合部材２５とし、両面テープにて固定する例について説明したが、係合部材２５は、改装枠２０にビス等の固定具にて固定しても良い。また、係合部は、必ずしもピース状でなくても構わず、改装縦枠本体部等に一体に形成されていても良い。
【００４８】
また、上記実施形態の改装サッシ１０の施工方法によれば、既設枠５０に囲まれた空間に見込み部２０ａが挿入されると既設枠５０と係合して既設枠５０に仮保持されるので、作業者は既設枠５０に係合された改装枠２０から手を離すことが可能である。このため、作業者は、改装枠２０の見込み部２０ａを挿入して改装枠２０から手を離し、両手を使って改装枠２０を既設枠５０側に容易に取り付けることが可能である。
【００５０】
上記実施形態においては、係合部材２５を改装縦枠本体部２３ｂに取り付けて、既設枠５０の既設挿入片５３ｄと係合する例について説明したが、係合部または係合部材を見付け部の室内側に形成し、既設枠５０の縁部５３ｅに係合させて改装サッシを仮保持する形態であっても構わない。
【００５２】
網戸レールは、既設網戸が係合するための係合部位であって、最も室外側に設けられた突出部に相当する。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
１  外壁、１０  改装サッシ、２０  改装枠、２０ａ  見込み部、
２０ｂ  見付け部、２３  改装縦枠、２３ｅ  縦枠見付け部、
２３ｆ  縦枠見付け部本体、２３ｋ  壁面対向部、２４  突出部、
２５  係合部材、２５ｃ  先端、２７  室外側カバー部材、５０  既設枠、
５３  既設縦枠、５３ｄ  既設挿入片、５３ｅ  縁部、５３ｇ  先端、
６４  ビス、６６  シーリング材、７０  防水目地
【図１】
0005405210.tif 000002
【図２】
0005405210.tif 000003
【図３】
0005405210.tif 000004